(57)【要約】【課題】安価でサービス品質の低下のない棟内ＣＡＴＶシステムを提供する。【解決手段】第１の高周波信号及びこの第１の高周波信号より周波数帯の高い第２の高周波信号が夫々入力され，前記第１の高周波信号及び前記第２の高周波信号を混合し，この信号を光信号に変換して１つの出力から出力する光送信装置において，前記第１の高周波信号と一部若しくは全てが重なる高周波信号が光変換された第１の光信号を入力して，この光信号を第３の高周波信号に変換する光受信機と，前記第１の高周波信号を通過させるか，前記第３の高周波信号を通過させるかを切換自在に切替えてどちらか一方の高周波信号を通過するように構成した切替手段とを備え，前記第１の高周波信号若しくは前記第３の高周波信号は前記切替手段によって選択的に切替えられた後に，前記第２の高周波信号と混合されてから光信号に変換して出力する光送信装置を備える。【選択図】  図２
2006115014.tif 000002
【特許請求の範囲】
【請求項１】
外部のＣＡＴＶシステムからの光ファイバケーブルを建造物内に引き込み，少なくとも該建造物内の光ファイバケーブルを介して前記ＣＡＴＶシステムからの光ファイバケーブルから入力された下り信号を，建造物内の端末に伝送する棟内ＣＡＴＶシステムにおいて，
前記ＣＡＴＶシステムからの光ファイバケーブルと前記建造物内の光ファイバケーブルとの間には，
前記建造物に設置されたアンテナ装置からの引込み線から送られてくる第１の高周波信号のための，少なくとも第１の入力端子と切替手段とからなる第１の入力伝送経路と，
前記ＣＡＴＶシステムからの光ファイバケーブルから送られてくる，前記第１の高周波信号と一部若しくは全てが重なる高周波信号が光変換された第１の光信号のための，少なくとも前記第１の光信号入力端子とこの第１の光信号を第３の高周波信号に変換する光受信機と切替手段とからなる第３の入力伝送経路と，
前記建造物に設置された前記アンテナ装置とは異なるアンテナ装置からの引込み線から送られてくる，前記第１の高周波信号及び前記第３の高周波信号より高い周波数帯であって相互に重ならない第２の高周波信号のための，少なくとも第２の入力端子とを備える第２の入力伝送経路と，を備え， 
前記切替手段は，前記第１の入力伝送経路を選択するか前記第３の入力伝送経路を選択するかを選択自在に切替えて，どちらか一方の入力伝送経路を通過させるように構成され，前記切替手段から出力される信号が前記第１の高周波信号若しくは前記第３の高周波信号のどちらか一方を選択的に切替えられた後に，前記第２の高周波信号と混合されてから光信号に変換されて出力されるように構成された光送信機を備えたことを特徴とした棟内ＣＡＴＶシステム。
【請求項２】
前記切替手段は，前記第１の光信号の信号レベルを判断基準とし，前記第１の光信号が前記光受信機に所定レベルに達しない時は，前記第１の高周波信号を通過させ，前記第１の光信号が前記光受信機に所定レベル以上入力されている時は，前記第３の高周波信号を通過させるように構成した前記光送信装置を備えたことを特徴とした請求項１に記載の棟内ＣＡＴＶシステム。
【請求項３】
前記切替手段は，前記第１の光信号に含まれる所定の信号を判断基準とし，前記第１の光信号に含まれる前記所定信号が規定値にない時は，前記第１の高周波信号を通過させ，前記第１の光信号に含まれる前記所定信号が規定値にある時は，前記第３の高周波信号を通過させるように構成した前記光送信装置を備えたことを特徴とした請求項１に記載の棟内ＣＡＴＶシステム。
【請求項４】
前記光送信装置に入力される前記第２の高周波信号は，衛星アンテナから出力される中間周波数帯であるように構成したことを特徴とした請求項１乃至請求項３の何れかに記載の棟内ＣＡＴＶシステム。
【請求項５】
前記光ファイバケーブルに伝送される光信号は，１．５５μｍ帯の波長を有する光信号を用いたことを特徴とした請求項１乃至請求項４の何れかに記載のＣＡＴＶシステム。
【発明の詳細な説明】
【技術分野】
【０００１】
本発明は，主に棟内ＣＡＴＶシステムに関し，詳しくはコスト安価であっても信号の品質のよいＣＡＴＶシステムに関する。
【背景技術】
【０００２】
従来，ＨＦＣ伝送方式のＣＡＴＶシステムは，ＣＡＴＶセンターからの下り信号を個人やマンション等の加入者宅の近辺までは下り用光伝送路で伝送し，光／電気変換装置（所謂，ノード型光送受信機）で高周波信号に変換した後，この下り信号を同軸ケーブルにて各加入者宅まで伝送すると共に，加入者宅からの上り信号も同じ同軸ケーブルで伝送し，電気／光変換装置で光信号に変換した後，上り用光伝送路でＣＡＴＶセンターまで伝送する構成となっている。
また，加入者側における棟内の分配システムとしては，下り信号としての高周波信号を，ブースター，分岐器，分配器等を使って分配する方式や，棟内に引き込まれた下り高周波信号を光送信装置で光信号に変換して個別に分配する光システムを構築する例が増えてきた。
更にＢＳ及びＣＳのような衛星放送や，地上ディジタル放送等を直接受信してサービスが受けられるように，建物に衛星アンテナやＵＨＦアンテナを設置し，これらの信号をＣＡＴＶ伝送線からの信号に混合して棟内に分配するシステムも増えてきた。 
（例えば，特許文献１参照）
【０００３】
【特許文献１】特開２００１−２３１０２３号公報
【発明の開示】
【発明が解決しようとする課題】
【０００４】
しかし，従来のこのようなＨＦＣ伝送方式においては，例えば下り信号はノードから出力された高周波信号が，トランクアンプ等をカスケードした高周波伝送路を通過して伝送させるため，この伝送路においてＣ／Ｎが劣化してしまうことがあり，サービスの品質低下を招く要因となっていた。
このためサービスの品質を向上させるためにノードの細分化を行うと，システムのコストが係るといった問題があった。
また，何らかの原因でＣＡＴＶセンター局からの信号が停波した場合に対応するように，ＣＡＴＶシステムを二重化することも考えられるが工事が複雑になり，延いてはコストがかかるといった問題があった。
そこで本願においては，こうした問題点を解決するためになされたものであり，
その目的は，コストを掛けずに高品質な信号の伝送を行うことができる棟内ＣＡＴＶシステムを提供することにある。
他の目的は，ＣＡＴＶセンター局からの光信号と，地上放送若しくは衛星放送受信用のアンテナからの高周波信号とを１つの光信号として出力し，ＣＡＴＶセンター局からの光信号が停波しても地上放送の信号を伝送することができる棟内ＣＡＴＶシステムを提供することにある。
【課題を解決するための手段】
【０００５】
上記課題を解決するために，請求項１の発明は，外部のＣＡＴＶシステムからの光ファイバケーブルを建造物内に引き込み，少なくとも該建造物内の光ファイバケーブルを介して前記ＣＡＴＶシステムからの光ファイバケーブルから入力された下り信号を，建造物内の端末に伝送する棟内ＣＡＴＶシステムにおいて，
前記ＣＡＴＶシステムからの光ファイバケーブルと前記建造物内の光ファイバケーブルとの間には，前記建造物に設置されたアンテナ装置からの引込み線から送られてくる第１の高周波信号のための，少なくとも第１の入力端子と切替手段とからなる第１の入力伝送経路と，前記ＣＡＴＶシステムからの光ファイバケーブルから送られてくる，前記第１の高周波信号と一部若しくは全てが重なる高周波信号が光変換された第１の光信号のための，少なくとも前記第１の光信号入力端子とこの第１の光信号を第３の高周波信号に変換する光受信機と切替手段とからなる第３の入力伝送経路と，前記建造物に設置された前記アンテナ装置とは異なるアンテナ装置からの引込み線から送られてくる，前記第１の高周波信号及び前記第３の高周波信号より高い周波数帯であって相互に重ならない第２の高周波信号のための，少なくとも第２の入力端子とを備える第２の入力伝送経路と，を備え，
前記切替手段は，前記第１の入力伝送経路を選択するか前記第３の入力伝送経路を選択するかを選択自在に切替えて，どちらか一方の入力伝送経路を通過させるように構成され，前記切替手段から出力される信号が前記第１の高周波信号若しくは前記第３の高周波信号のどちらか一方を選択的に切替えられた後に，前記第２の高周波信号と混合されてから光信号に変換されて出力されるように構成された光送信機を備える。
【０００６】
請求項２の発明は，請求項１に記載の棟内ＣＡＴＶシステムにおいて，前記切替手段は，前記第１の光信号の信号レベルを判断基準とし，前記第１の光信号が前記光受信機に所定レベルに達しない時は，前記第１の高周波信号を通過させ，前記第１の光信号が前記光受信機に所定レベル以上入力されている時は，前記第３の高周波信号を通過させるように構成した前記光送信装置を備えた。
【０００７】
請求項３の発明は，請求項１に記載の棟内ＣＡＴＶシステムにおいて，前記切替手段は，前記第１の光信号に含まれる所定の信号を判断基準とし，前記第１の光信号に含まれる前記所定信号が規定値にない時は，前記第１の高周波信号を通過させ，前記第１の光信号に含まれる前記所定信号が規定値にある時は，前記第３の高周波信号を通過させるように構成した前記光送信装置を備えた。
【０００８】
請求項４の発明は，請求項１乃至請求項３の何れかに記載の棟内ＣＡＴＶシステムにおいて，前記光送信装置に入力される前記第２の高周波信号は，衛星アンテナから出力される中間周波数帯であるように構成した。
【０００９】
請求項５の発明は，請求項１乃至請求項４の何れかに記載のＣＡＴＶシステムにおいて，前記光ファイバケーブルに伝送される光信号は，１．５５μｍ帯の波長を有する光信号を用いた。
。
【発明の効果】
【００１０】
請求項１の発明によれば，外部のＣＡＴＶシステムからの光ファイバケーブルを建造物内に引き込み，少なくとも該建造物内の光ファイバケーブルを介して前記ＣＡＴＶシステムからの光ファイバケーブルから入力された下り信号を，建造物内の端末に伝送する棟内ＣＡＴＶシステムにおいて，
前記ＣＡＴＶシステムからの光ファイバケーブルと前記建造物内の光ファイバケーブルとの間には，前記建造物に設置されたアンテナ装置からの引込み線から送られてくる第１の高周波信号のための，少なくとも第１の入力端子と切替手段とからなる第１の入力伝送経路と，前記ＣＡＴＶシステムからの光ファイバケーブルから送られてくる，前記第１の高周波信号と一部若しくは全てが重なる高周波信号が光変換された第１の光信号のための，少なくとも前記第１の光信号入力端子とこの第１の光信号を第３の高周波信号に変換する光受信機と切替手段とからなる第３の入力伝送経路と，前記建造物に設置された前記アンテナ装置とは異なるアンテナ装置からの引込み線から送られてくる，前記第１の高周波信号及び前記第３の高周波信号より高い周波数帯であって相互に重ならない第２の高周波信号のための，少なくとも第２の入力端子とを備える第２の入力伝送経路と，を備え，
前記切替手段は，前記第１の入力伝送経路を選択するか前記第３の入力伝送経路を選択するかを選択自在に切替えて，どちらか一方の入力伝送経路を通過させるように構成され，前記切替手段から出力される信号が前記第１の高周波信号若しくは前記第３の高周波信号のどちらか一方を選択的に切替えられた後に，前記第２の高周波信号と混合されてから光信号に変換されて出力されるように構成された光送信機を備えたので，
外部のＣＡＴＶからの光ファイバーケーブル介して入力される下り信号（第１の光信号）を，高周波増幅器等を介さず直接入力することができ，高周波信号を高周波増幅器等がカスケードに接続された伝送路に伝送させることによって信号のＣ／Ｎが劣化してしまうような，伝送信号の品質低下を一層低く押えることができる棟内ＣＡＴＶシステムの構築が可能な光送信装置が提供できる。
また，外部のＣＡＴＶからの光ファイバーケーブル介して入力される下り光信号（第１の光信号。光受信機で高周波信号に変換された後は第３の高周波信号である。）が停波しても，前記切替手段によって少なくとも前記第３の高周波信号と一部若しくは全てが重なる第１の高周波信号（例えばＶＨＦ帯やＵＨＦ帯の地上放送）を，切替手段において選択的に切替えることによって通過させることができ，ＣＡＴＶ回路網に問題があっても停波のない利便性の良い棟内ＣＡＴＶシステムを提供できる。
【００１１】
請求項２の発明によれば，請求項１に記載の棟内ＣＡＴＶシステムにおいて，前記切替手段は，前記第１の光信号の信号レベルを判断基準とし，前記第１の光信号が前記光受信機に所定レベルに達しない時は，前記第１の高周波信号を通過させ，前記第１の光信号が前記光受信機に所定レベル以上入力されている時は，前記第３の高周波信号を通過させるように構成した前記光送信装置を備えたので，
例えば第１の光信号によってサービスを受けている場合であって，光ファイバーの切断や光送信機の故障等，不足の事態が発生した場合であっても，自動的に切替手段１１で伝送路を切替えることで，少なくとも第１の高周波信号からの信号を受信できるようにすることができるように素早い対応が可能な棟内ＣＡＴＶシステムを提供できる。
【００１２】
請求項３の発明によれば，請求項１に記載の棟内ＣＡＴＶシステムにおいて，前記切替手段は，前記第１の光信号に含まれる所定の信号を判断基準とし，前記第１の光信号に含まれる前記所定信号が規定値にない時は，前記第１の高周波信号を通過させ，前記第１の光信号に含まれる前記所定信号が規定値にある時は，前記第３の高周波信号を通過させるように構成した前記光送信装置を備えたので，
例えば第１の光信号に含まれたパイロット信号を検出することによって，第１の光信号を伝送してくる光ファイバの回線状態を正確に判定して，第１の光信号の状態が悪い時は，切替手段を切替えることによって，少なくとも第１の高周波信号の受信ができるように素早い対応が可能な棟内ＣＡＴＶシステムを提供できるのである。
【００１３】
請求項４の発明によれば，請求項１乃至請求項３の何れかに記載の棟内ＣＡＴＶシステムにおいて，前記光送信装置に入力される前記第２の高周波信号は，衛星アンテナから出力される中間周波数帯であるように構成したので，
ＣＡＴＶ網を介して自主放送や地上放送ばかりか衛星放送まで含めた多チャンネル（第１の光信号）のサービスの提供を受けることができるばかりでなく，ＣＡＴＶ網からの信号が停波しても加入者宅に設置したアンテナを用いて例えばＶＨＦ帯やＵＨＦ帯の地上放送（第１の高周波信号），ＢＳ・１１０°ＣＳ等の衛星放送（第２の高周波信号）の直接受信ができるので，ＣＡＴＶからの下り信号の停波に対して素早い対応が可能な，利便性の良い棟内ＣＡＴＶシステムに最適な光送信装置を提供できる。
【００１４】
請求項５の発明によれば，請求項１乃至請求項４の何れかに記載のＣＡＴＶシステムにおいて，前記光ファイバケーブルに伝送される光信号は，１．５５μｍ帯の波長を有する光信号を用いたので，
簡単に増幅分配ができるため安価に棟内ＣＡＴＶシステムの構築ができるのである。
【発明を実施するための最良の形態】
【００１５】
以下に，本発明を具体化した実施形態の例を，図面を基に詳細に説明する。
図１（ａ）は本願の実施例を示す概略構成図である。（ｂ）は他の実施例を示す。図２本願の光送信装置を用いたＣＡＴＶシステム例を示す概略説明図である。図３は従来のＣＡＴＶシステムの一例を示す構成図である。
【実施例１】
【００１６】
図１（ａ）に基づいて本発明に係る光送信装置１の実施例を説明する。２は高周波信号を入力するためのＲＦ信号入力端子として構成されており，この入力端子から入力された高周波信号は１１に示す高周波信号の切替手段に入力される。
尚，この入力端子には例えば７０〜７７０ＭＨｚの周波数帯の信号が入力され，この信号が請求項に記載の第１の高周波信号を示し，本願の実施例では例えばＶＨＦ，ＵＨＦ帯の信号を入力した例を示す。また，ＲＦ信号入力端子２と切替手段１１とで請求項に記載の第１の入力伝送経路を示す。
【００１７】
３は，前記第１の高周波信号より高い周波数帯であって相互に重ならない第２の高周波信号を入力するための入力端子であり，本願の実施例では例えばＢＳ・ＣＳ−ＩＦ帯の信号を入力するためのＢＳ−ＩＦ入力端子として構成されており，該入力端子から入力されたＢＳ・ＣＳ−ＩＦ帯の信号はトランジスタ若しくはＩＣで構成された増幅器１５に入力され，該増幅器１５において所定レベルに増幅された後に，混合器１３に入力される。
尚，この実施例におけるＢＳ・ＣＳ−ＩＦ帯の信号は例えば１０３２〜２６０２ＭＨｚの周波数帯の信号であり，この信号が請求項に記載の第２の高周波信号を示す。また，ＢＳ-ＩＦ入力端子３と増幅器１５とで請求項に記載の第２の入力伝送経路を構成しているのであるが，増幅器１５は有ってもよく無くてもよい。
【００１８】
４は第１の光信号を入力するための入力端子であり，本願の実施例では，例えばＣＡＴＶセンター局から光ファイバケーブルを介して光信号を伝送するＣＡＴＶ伝送網からの光信号を入力するためのＣＡＴＶ下り光信号入力端子として構成されている。この入力端子４から入力された光信号は，この光信号を高周波信号に変換する光受信機１６において高周波信号に変換された後に，切替手段１１に入力される。
尚，このＣＡＴＶ下り光信号は例えば波長が１．３１μｍ帯若しくは１．５５μｍ帯の信号を用いており，この光信号が請求孔に記載の第１の光信号を示す。また，前記光受信機１６から出力される高周波信号は例えば７０〜７７０ＭＨｚ帯の周波数帯の信号であり，この高周波信号が請求項に記載の第３の高周波信号を示す。
また，ＣＡＴＶ下り光信号入力端子４と光受信機１６と切替手段１１とで請求項に記載の第３の入力伝送経路を構成している。
【００１９】
前記切替手段１１は，前記第１の高周波信号を通過させるか，前記第３の高周波信号を通過させるかを切換自在に切替えて，どちらか一方の高周波信号を通過するように構成した高周波信号の切替器であり，例えば機械的な切替えスイッチか，ピンダイオード等で構成された電子的なスイッチ等を操作手段１７において切替えるように構成されている。
この切替手段１１に入力された第１の高周波信号若しくは第３の高周波信号は，前記切替手段１１において選択的に伝送路を切替えられた後に，トランジスタ若しくはＩＣ等によって構成された高周波増幅器１２に入力され，該増幅器１２において所定レベルまで増幅された後に，混合器１３に入力されるのである。
このようにして前記混合器１３に入力される前記第２の高周波信号と選択的に入力される前記第１の高周波信号若しくは前記第３の高周波信号とは，前記混合器１３において混合されてから，高周波信号を光信号に変換する光送信機１４において光信号に変換された後に，５に示す下り光信号出力端子５から出力される。
【００２０】
次に本願の光送信装置に係る他の実施例について説明する。この実施例は前記切替手段１１の切替えの判定手段として，前記第１の光信号に含まれる所定信号を検出・判定して，この判定基準に基づいて，前記切替手段１１を前記第１の高周波信号を通過させるか，前記第３の高周波信号を通過させるかの伝送路を自動的に判断して切替えるものである。
このときの所定信号としては，センター局において生成されたパイロット信号であっても良く，放送信号に含まれる特定の信号でも良く特に限定されるものではない。
この実施例ではフォトダイオードを備えた光受信機１６にパイロット信号等の検出回路を備えさせて基準となる信号を検出し，この検出した信号を制御手段１８によって判定すると共に，これに基づいて所定の信号を出力させて，前記切替手段１１において伝送路の切替えを行うように構成されているのである。
【００２１】
次に本発明の光送信装置１を備えたＣＡＴＶシステムの概略を図２に示し，前記光送信装置１とシステムについて詳細に説明する。
３０はＣＡＴＶセンター局であり，ＶＨＦ若しくはＵＨＦ等の地上放送用アンテナ３０ａやＢＳ・１１０°衛星アンテナ３０ｂ等において受信した信号は，ヘッドエンド装置３１に入力されて，例えば７０〜７７０ＭＨｚの周波数帯に夫々の信号が伝送に適切なように処理されたり，パイロット信号を混合したりした後に，この高周波信号を光信号に変換する光送信機３２，３２・・・において下り光信号に変換されてから光ファイバケーブル３３，３３・・・を介して伝送される。
尚，本願のＣＡＴＶシステムは，前記下り光信号は１．３１μｍ帯若しくは１．５５μｍ帯等の波長の光信号を使用して構成しており，この下り光信号が請求項に記載の第１の光信号である。
また，上り光信号は光ファイバケーブル３５，３５・・・を介してセンター局の光受信機３６，３６・・・に入力されて高周波信号に変換される。この光受信機はセンターモデム３７，ルーター３８と接続されており，センター局３０はＷＡＮ（Ｗｉｄｅ  Ａｒｅａ  Ｎｅｔｗｏｒｋ）４０と接続されている。尚，本願の説明を明確にするために，上り光信号については詳細な説明は省略した。
【００２２】
図２において５０はマンション等の建造物であり，５１ａ，５１ｂ，・・・は端末端子がある個別加入者宅を示す。
光ファイバケーブル３３を介してマンション５０に引き込まれたＣＡＴＶ下り光信号（第１の光信号）は，マンション等に設置された光ファイバ７との間に接続された前記光送信装置１のＣＡＴＶ下り光信号入力端子４から入力される。また，マンション等の建造物５０には例えばＶＨＦ及びＵＨＦ等の地上放送波を受信するアンテナ５０ａが設置されており，この地上放送アンテナ５０ａにおいて受信された信号（第１の高周波信号）は，前記光送信装置１のＲＦ信号入力端子２から入力される。このとき，ＶＨＦ帯の周波数帯である９０〜２２２ＭＨｚの信号と，ＵＨＦ帯の周波数帯である４７０〜７７０ＭＨｚの信号とを両方受信する場合は夫々のアンテナからの出力を混合器で混合したものを一本の同軸ケーブルで引き込む。
更に建築物５０には例えばＢＳと１１０°ＣＳを受信可能な衛星アンテナ５０ｂが設置されており，本願の実施例では１０３２〜２６０２ＭＨｚの中間周波数帯の信号（第２の高周波信号）が光送信装置１のＢＳ・ＣＳ−ＩＦ入力端子３から入力される。
【００２３】
光送信装置１に入力されたＣＡＴＶ下り光信号は，この光送信装置１に内蔵させた光受信機１６において第３の高周波信号に変換されるのであるが，この第３の高周波信号と前記第１の高周波信号とは，切替手段１１において選択的に伝送路が切替えられてどちらか一方の高周波信号が切替手段１１から出力される。更に切替手段１１から出力された第３の高周波信号若しくは第１の高周波信号は，増幅器１２において所定レベルまで増幅された後に，混合器１３において前記第２の入力伝送経路を通過した第２の高周波信号と混合される。この混合された高周波信号は光送信機１４において光信号に変換されてから，下り光信号出力端子から建造部内部に配設された光ファイバ７に送出される。
光ファイバ７で伝送される下り光信号は，光分配器６，光ファイバ７等を介して加入者宅内５１ａに設置された光受信機８において高周波信号に変換されてから端末端子９から出力される。
【００２４】
上記システムにおいて，前記第３の高周波信号は加入しているＣＡＴＶシステムの高周波信号の伝送帯域（本願の実施例では７０〜７７０ＭＨｚ）であるように構成されているので，マンション等の建築物５０には，この７０〜７７０ＭＨｚのＣＡＴＶ下り高周波信号である第３の高周波信号と，地上波用のアンテナ５０ａにおいて受信されたＶＨＦ帯である９０〜２２２ＭＨｚ，ＵＨＦ帯である４７０〜７７０ＭＨｚの信号の，両方若しくはどちらか一方の信号である第１の高周波信号が引き込まれることとなり，これらの高周波信号は切替手段１１において，選択的に伝送路が切替えられることになる。  
【００２５】
即ち，本願の光送信装置１を用いた棟内ＣＡＴＶシステムにおいては，該光送信装置1にＣＡＴＶ下り光信号を高周波信号に変換する光受信機１６を具備させたので，ＣＡＴＶ伝送路としての光ファイバーを直接建築物５０内に引き込むことができ，図３に示す従来のＨＦＣ伝送方式のように，例えば下り信号はノードから出力された高周波信号が，トランクアンプ等をカスケードした高周波伝送路を通過して伝送させることによって，信号のＣ／Ｎが劣化してしまいサービスの品質低下を招くことがないのである。
また，サービスの品質を向上させるためにノードの細分化を行うことも必要としないのでシステムのコストアップといった問題も解消されるのである。
【００２６】
更に加えて，本願の光送信装置１は前記第３の高周波信号と第１の高周波信号を選択的に入力して伝送できるように構成されていることで，例えば一般的な状態においてはＣＡＴＶ伝送路を介して入力された第１の光信号であるＣＡＴＶ下り光信号によって多チャンネルのサービスを受けており，光ファイバーの切断やセンター局の機器の故障と言った不足の事態が発生した場合であっても，自動的に若しくは手動によって，前記光送信装置１に備えた切替手段１１で伝送路を切替えて，マンション等の建造物５０に設置した地上波用のアンテナ５０ａからの第１の高周波信号である信号を通過させるように構成されていることで，ＣＡＴＶからの信号が切断したり状態が悪くなったりした場合であっても，少なくとも地上波用のアンテナ５０ａからの信号を受信できるようになるので全くテレビの受信ができなくなると言ったことがなくなるのである。 
加えて，ＢＳ・１１０°ＣＳ用の衛星アンテナ５０ｂからの信号も入力できることから，この光送信装置１を備えた棟内ＣＡＴＶシステムでは，ＣＡＴＶで衛星放送を含めた多チャンネルのサービスを楽しめるばかりでなく，加入者は衛星放送を直接受信する方法を選択することができ，サービスの選択幅が広がる受信システムを構築できるのである。
尚，本願の光送信装置１及びＣＡＴＶシステムに使用される光信号に，１．５５μｍ帯の光信号を利用すれば，ＥＤＦＡ（Ｅｒｂｉｕｍ  Ｄｏｐｅｄ  Ｆｉｂｅｒ  Ａｍｐｌｉｆｉｅｒ：エルビウム添加光ファイバ増幅器）による増幅分配ができるためシステムの低コスト化が図れるといった優位性の高い光送信装置及びＣＡＴＶシステムが提供できるのである。
尚，本発明は上記実施の形態に限定されるものではなく，各部の構成を適宜に変更して実施することも可能である。
【図面の簡単な説明】
【００２７】
【図１】（ａ）本発明に係る光送信装置の実施形態の１例を示し，（ｂ）は異なる実施形態を示す。
【図２】本願の光送信装置を用いたＣＡＴＶシステムの一例の概略構成図である。
【図３】従来のＣＡＴＶシステムの一例の概略構成図を示す。
【符号の説明】
【００２８】
１…光送信装置，２…ＲＦ信号入力端子，３…ＢＳ・ＣＳ−ＩＦ入力端子，４…ＣＡＴＶ下り光信号入力端子，５…下り信号出力端子，６…光分配器，７…光ファイバ，８…光受信機，９…テレビ端子，１０…，１１…切替手段，１２…増幅器，１３…混合器，１４…光送信機，１５…増幅器，１６…光受信機，１７…操作手段，１８…制御手段，１９…，２０…ノード型光送受信機，２１…同軸ケーブル，２２…幹線分配増幅器，２３…幹線分岐増幅器，２４…分岐増幅器，２５…タップオフ，２６…保安器，３０…ＣＡＴＶセンター局，３０ａ…地上波用アンテナ，３０ｂ…衛星アンテナ，３１…ヘッドエンド装置，３２…光送信機，３３…光ファイバケーブル，３５…光ファイバケーブル，３６…光受信機，３７…センターモデム，３８…ルーター，４０…ＷＡＮ，５０…加入者，５０ａ…地上波用アンテナ，５０ｂ…衛星アンテナ，５１ａ・５１ｂ・・・…個人宅，１００…光送信機
【図１】
2006115014.tif 000003
【図２】
2006115014.tif 000004
【図３】
2006115014.tif 000005